(57)【要約】      （修正有）【課題】紙容器薄肉部のフィルムが破断片化してストロー内に直接入り込むことを確実に防止し、かつそのフィルムが破断片化して容器内に落下することを簡易にかつ廉価に防止することができる飲用ストローを提供する。【解決手段】液体食品用紙容器に用いられる１本若しくは複数本のストロー管からなる飲料用ストローであって、液体食品用紙容器が飲料用ストローを差込むための薄肉部を器壁に有し、ストローが、薄肉部に差込まれる側のストロー管２の先端４で山形に形成された複数の管壁片４ａ，４ｂを管壁片の先端でかつストロー管中央で一体化された尖端槍部５を有すると共に、尖端槍部の近傍に複数の飲料用口６ａ，６ｂが形成されているように構成したものである。【選択図】図１
2006141576.tif 000002
【特許請求の範囲】
【請求項１】
薄肉部を器壁に有する液体食品用紙容器に用いられる１本若しくは複数本のストロー管からなる飲料用ストローであって、該飲料用ストローが、該薄肉部に差込まれる側のストロー管の先端で山形に形成された複数の管壁片を該管壁片の先端でかつストロー管中央で一体化された尖端槍部を有すると共に、該尖端槍部の近傍に複数の飲料用口が形成されていることを特徴とする飲料用ストロー。
【請求項２】
該管壁片の基部に切り込みが形成され、尖端槍部が該管壁片を谷折りして該管壁片の先端でかつストロー管中央で一体化される請求項１記載の飲料用ストロー。
【発明の詳細な説明】
【技術分野】
【０００１】
本発明は、ジュースや牛乳などの液体食品などを充填した紙容器などに用いる飲料用ストローに関する。
【背景技術】
【０００２】
液体食品用紙容器から飲料を飲む方法には種々がある。図４に示すような、矩形紙容器の例では、紙容器（１）に、プラスチックフィルム袋に包装された飲料用ストロー（２）が添付されている。紙容器の器壁上面に、飲料用ストロー（２）を差込むための薄肉部（３）、すなわち、ストロー孔が形成されている。この薄肉部は、通常、紙主体の包材の紙基材層にパンチなどで打ち抜かれ、この紙基材層にプラスチック層及び、必要であれば、アルミニウム箔層を形成することによって形成される。
飲料用ストローが、図３に示すように、内管２ａと内管を収納する外管２ｂとからなる伸縮ストローである場合、内管２ａの先端部４からその薄肉部に差込まれる。
消費者がこの紙容器から飲料を飲む場合、図５に示すように、飲料用ストロー（２）を薄肉部に破断穴を形成して差込み、飲用することによって使用することができる。 
しかし、飲料用ストロー用の薄肉部（パンチ穴部分）のフィルムが、差込時に破断片化してストロー内に直接入り込んで消費者がそれを飲んでしまう恐れ、または、パンチ穴の部分のフィルムが破断片化して、容器内に落下しそれを消費者が飲んでしまう恐れがある。破断片は、何ら人体に影響がないが、極めて清潔観念が強い消費者にとって好ましくはない。
【０００３】
上記の不都合を解消する為に、例えば、飲用ストローの先端開口部に薄肉部断片のストロー管内部への侵入を防止する網を設ける技術、及び飲用ストローの先端を鉛筆の先端部のように尖塔様に尖らせる技術が提案されている。（特許文献参照）
【特許文献１】特開２００２−２５３４１５号公報
【発明の開示】
【発明が解決しようとする課題】
【０００４】
上記従来技術による飲用ストローでは、薄肉部のフィルムが破断片化してストロー内に直接入り込むこと及びで破断片化して容器内に落下することを、簡易にかつ廉価に、防止することができない。
本発明は、紙容器薄肉部のフィルムが破断片化してストロー内に直接入り込むことを確実に防止し、かつそのフィルムが破断片化して容器内に落下することを簡易にかつ廉価に防止することができる飲用ストローを提供することを目的とする。
【課題を解決するための手段】
【０００５】
この課題を解決する本発明の飲料用ストローは、液体食品用紙容器に用いられる１本若しくは複数本のストロー管からなる飲料用ストローであって、液体食品用紙容器が飲料用ストローを差込むための薄肉部を器壁に有し、ストローが、薄肉部に差込まれる側のストロー管の先端で山形に形成された複数の管壁片を管壁片の先端でかつストロー管中央で一体化された尖端槍部を有すると共に、尖端槍部の近傍に複数の飲料用口が形成されていることを特徴とする。
【０００６】
この発明の好ましい態様において、飲料用ストローが、管壁片の基部に切り込みが形成され、尖端槍部が管壁片を谷折りして管壁片の先端でかつストロー管中央で一体化される。
【発明の効果】
【０００７】
以上のように本発明によれば、以下の有利な効果が得られる。
これにより、飲用ストローを紙容器の薄肉部に差し込む際に、ストロー管中央で一体化された尖端槍部が、先ず、容易に薄肉部のフィルムに小さな穴を形成することができ、ストローを更に差し込むことによってこの小さな穴からより大きな穴を形成し、フィルムが中心から放射状に切断されて複数のフィルム片がストロー穴の縁に垂れ下がる。
その結果、紙容器薄肉部のフィルムが破断片化してストロー内に直接入り込むことを確実に防止し、かつそのフィルムが破断片化して容器内に落下することを簡易にかつ廉価に防止することができる。
【発明を実施するための最良の形態】
【０００８】
以下、本発明の実施の形態について図面を参照しながら詳細に説明する。
図１は、本発明の一実施形態の飲料用ストローの外観図である。
この実施形態の飲料用ストローは、液体食品用紙容器に用いられる２本のストロー管からなる飲料用伸縮ストローであって、液体食品用紙容器が飲料用ストローを差込むための薄肉部を器壁に有し、ストロー２が、薄肉部に差込まれる側のストロー管２の先端４で山形に形成された２つの管壁片４ａ、４ｂを管壁片の先端でかつストロー管中央で一体化された尖端槍部５を有すると共に、尖端槍部５の近傍に２の飲料用口６ａ、６ｂが形成されている。
【０００９】
管壁片４ａ、４ｂを管壁片の先端でかつストロー管中央で一体化して尖端槍部５を形成する態様を、図６（b）を参照して説明する。
ストロー管２の先端４で山形に２個の管壁片４ａ、４ｂを形成する。形状、寸法等は適宜変更することができる。
図６（b）に示すように、管壁片４ａ、４ｂを矢印の方向に押圧しその先端が接触した状態で加熱してヒートシールすることによって、ストロー管中央で一体化された尖端槍部５を形成することができる。
【００１０】
この実施形態の飲料用ストローでは、飲用ストローを紙容器の薄肉部に差し込むと、ストロー管中央で一体化された尖端槍部５が、薄肉部のフィルムに小さな穴を形成し、ストローを更に差し込むことによって、フィルムが中心から放射状に切断されて複数のフィルム片がストロー穴の縁に垂れ下がる。
その結果、紙容器薄肉部のフィルムが破断片化してストロー内に直接入り込むことを確実に防止し、かつそのフィルムが破断片化して容器内に落下することを簡易にかつ廉価に防止する。
飲用に際しては、尖端槍部５の近傍の２個の飲料用口６ａ、６ｂから内部飲料を飲むことができる。
【００１１】
この発明の好ましい別の実施形態において、図２及び図６（ａ）に示すように、ストロー２が、薄肉部に差込まれる側のストロー管２の先端４で山形に形成された４個の管壁片４ａ、４ｂ、４ｃ、４ｄを管壁片の先端４でかつストロー管中央で一体化された尖端槍部５を有し、尖端槍部５の近傍に４つの飲料用口６ａ、６ｂ、６ｃ、６ｄが形成されている。
【００１２】
上記ストローの形成は、図６（ａ）に示すように、飲料用ストローが、飲料用口形成の為の管壁片の基部７に４本の切り込み８ａ、８ｂ、８ｃ、８ｄが形成され、尖端槍部５が管壁片を折れ線９で谷折りして管壁片の先端でかつストロー管中央で一体化される。
【００１３】
この実施形態の飲料用ストローでは、飲用ストローを紙容器の薄肉部に差し込むと、ストロー管中央で一体化された尖端槍部５が、フィルムを中心から放射状に切断し複数のフィルム片がストロー穴の縁に垂れ下がる。
紙容器薄肉部のフィルムが破断片化してストロー内に直接入り込むことを防止し、かつそのフィルムが破断片化して容器内に落下することを防止する。
飲用に際しては、尖端槍部５の近傍の飲料用口６ａから内部飲料を飲むことができる。
【００１４】
なお、本発明は前記実施の形態に限定されるものではなく、本発明の趣旨に基づいて種々変形させることが可能であり、それらを本発明の範囲から排除するものではない。
【産業上の利用可能性】
【００１５】
この発明の飲料用ストローは、牛乳、ジュース、ミネラルウォーターなどの飲料、流動食品などの包装容器に用いることができる。
【図面の簡単な説明】
【００１６】
【図１】本発明の実施形態の飲料用ストローの外観図である。
【図２】本発明の別の実施形態の飲料用ストローの外観図である。
【図３】飲料用ストローの外観図である。
【図４】矩形紙容器を示す斜視図である。
【図５】紙容器に飲料用ストローを使用する状態を示す斜視図である。
【図６】本発明の実施形態の飲料用ストローを形成する態様を示す斜視図である。
【符号の説明】
【００１７】
１  ・・・容器
２  ・・・ストロー
３  ・・・薄肉部
【図３】
2006141576.tif 000003
【図４】
2006141576.tif 000004
【図５】
2006141576.tif 000005
【図６】
2006141576.tif 000006
【図１】
2006141576.tif 000007
【図２】
2006141576.tif 000008